(57)【要約】【課題】複数の取付ボルトが突設されたロアカバーに対して、複数のボルト挿通穴が形成されたバスバーを備えた電気接続箱本体を容易に位置合わせして速やかに組み付けることが出来る、新規な構造の電気接続箱を提供することを、目的とする。【解決手段】電気接続箱本体１４とロアカバー１２の間でそれらの組付方向に延びる係合案内手段３６ａ〜ｃ，５６ａ〜ｃが複数の取付ボルト３４ａ〜ｃの近傍に設けられており、この係合案内手段３６ａ〜ｃ，５６ａ〜ｃが係合することによって、複数の取付ボルト３４ａ〜ｃが複数の端子部４８ａ，ｂの各ボルト挿通穴５４ａ〜ｃに対して位置決めされるようにした。【選択図】図１
2011097709.tif 000002
【特許請求の範囲】
【請求項１】
取付ボルトが突設されたロアカバーに対してバスバーが内蔵された電気接続箱本体が組み付けられている電気接続箱において、
前記ロアカバーに前記取付ボルトが複数本設けられて、前記ロアカバーへの前記電気接続箱本体の組み付け方向に突出されていると共に、前記バスバーにおいてボルト挿通穴の形成された複数の端子部が外部に露呈されている一方、前記電気接続箱本体と前記ロアカバーの間において、前記複数の取付ボルトの近傍に位置してそれらの組み付け方向に延びる係合案内手段が設けられており、前記複数の取付ボルトが前記複数の端子部の各前記ボルト挿通穴に挿通されるのに先立って、前記係合案内手段の係合により前記複数の取付ボルトが各前記ボルト挿通穴に対して位置決めされるようになっていると共に、前記複数の取付ボルトが前記複数の端子部の各前記ボルト挿通穴に挿通されて前記ロアカバーに対して前記電気接続箱本体が正規位置に組み付けられることで、前記係合案内手段によりそれらロアカバーと電気接続箱本体が抜出不能に係止固定されるようになっていることを特徴とする電気接続箱。
【請求項２】
前記ロアカバーと前記電気接続箱本体が何れも直方形の箱体とされており、前記ロアカバーの一方の長辺部側で長辺の長さ方向に並んで前記複数の取付ボルトが設けられていると共に、前記電気接続箱本体の一方の長辺部側における前記複数の取付ボルトと各対応する位置に前記複数の端子部が設けられている一方、前記ロアカバーの前記一方の長辺部及び前記電気接続箱本体の前記一方の長辺部における互いに対応する位置には、前記複数の取付ボルトの間及び前記複数の端子部の間において、前記ロアカバーへの前記電気接続箱本体の組み付け方向で互いに嵌まり合って案内する前記係合案内手段が設けられている請求項１に記載の電気接続箱。
【請求項３】
前記ロアカバーにおける前記一方の長辺部において前記複数の取付ボルトから外れた位置と、前記電気接続箱本体における前記一方の長辺部において前記複数のボルト挿通穴から外れた位置との、互いに対応する部分に前記係合案内手段が更に設けられている請求項２に記載の電気接続箱。
【請求項４】
前記ロアカバーと前記電気接続箱本体において、前記複数の取付ボルトと前記複数の端子部が設けられた長辺部と反対側の長辺部において、前記係合案内手段が更に設けられている請求項２又は３に記載の電気接続箱。
【発明の詳細な説明】
【技術分野】
【０００１】
本発明は、自動車等に搭載される電気接続箱に係り、接続端子が取り付けられる取付ボルトを備えた電気接続箱に関するものである。
【背景技術】
【０００２】
従来から、自動車の電装系にはバスバー，コネクタ，ヒューズ等の配線部材が適宜に組み込まれた電気接続箱が採用されており、バッテリーやランプ，モータ等の各種電気機器間での電力や信号の分岐および中継を行っている。
【０００３】
ところで、自動車のバッテリー等からの給電線は外径が大きく剛性も高いことから、それら給電線の先端に設けられた接続端子が装着される電気接続箱においては、接続端子の締め付けに大きな締結力を要する。そこで、電気接続箱に取付ボルトを固設して、この取付ボルトに対して端子を締め付けるようになっている。例えば、特開２０００−２３３３１号公報（特許文献１）に開示の如く、電気接続箱のロアカバーに取付ボルトを突設すると共に、電気接続箱本体に収容された電源回路を構成するバスバーにボルト挿通穴を形成する一方、ロアカバーと電気接続箱本体を組み付けることにより、取付ボルトをバスバーに形成されたボルト挿通穴に挿通し、さらに接続端子を取付ボルトに外挿装着してバスバーに重ね合わせてナットにより締結する構成が提案されている。
【０００４】
ところが、このような従来構造の電気接続箱に対して、バッテリーとオルタネータ等、複数の給電線の接続端子が取り付けられる場合には、複数の取付ボルトをロアカバーに突設すると共に、バスバーの端子部に設けられた複数のボルト挿通穴を、それぞれ、複数の取付ボルトに同時に位置合わせして、複数の取付ボルトを各ボルト挿通穴に挿通させる必要があった。従って、ボルト挿通穴の位置合わせの作業が非常に困難で作業性が悪いという問題があった。しかも、電気接続箱本体とロアカバーとのロック部等の嵌合も、取付ボルトとボルト挿通穴の位置合わせと同時に位置合わせして組み付ける必要があり、目視にて複数箇所の位置決めを一時に確認する困難な作業を伴うために作業効率が悪く電気接続箱の組み付けに時間を要していた。
【先行技術文献】
【特許文献】
【０００５】
【特許文献１】特開２０００−２３３３１号公報
【発明の概要】
【発明が解決しようとする課題】
【０００６】
本発明は、上述の事情を背景に為されたものであって、その解決課題は、複数の取付ボルトが突設されたロアカバーに対して、複数のボルト挿通穴が形成されたバスバーを備えた電気接続箱本体を容易に位置合わせして速やかに組み付けることが出来る、新規な構造の電気接続箱を提供することにある。
【課題を解決するための手段】
【０００７】
本発明の第一の態様は、取付ボルトが突設されたロアカバーに対してバスバーが内蔵された電気接続箱本体が組み付けられている電気接続箱において、前記ロアカバーに前記取付ボルトが複数本設けられて、前記ロアカバーへの前記電気接続箱本体の組み付け方向に突出されていると共に、前記バスバーにおいてボルト挿通穴の形成された複数の端子部が外部に露呈されている一方、前記電気接続箱本体と前記ロアカバーの間において、前記複数の取付ボルトの近傍に位置してそれらの組み付け方向に延びる係合案内手段が設けられており、前記複数の取付ボルトが前記複数の端子部の各前記ボルト挿通穴に挿通されるのに先立って、前記係合案内手段の係合により前記複数の取付ボルトが各前記ボルト挿通穴に対して位置決めされるようになっていると共に、前記複数の取付ボルトが前記複数の端子部の各前記ボルト挿通穴に挿通されて前記ロアカバーに対して前記電気接続箱本体が正規位置に組み付けられることで、前記係合案内手段によりそれらロアカバーと電気接続箱本体が抜出不能に係止固定されるようになっていることを、特徴とする。
【０００８】
第一の態様によれば、電気接続箱本体とロアカバーの間でそれらの組付方向に延びる係合案内手段が複数の取付ボルトの近傍に設けられており、この係合案内手段が係合することによって、複数の取付ボルトが複数の端子部の各ボルト挿通穴に対して位置決めされるようになっている。従って、作業者は、単に係合案内手段の係合を確認するのみで、複数の取付ボルトとボルト挿通穴の位置合わせを確認する必要がない。これにより、複数の取付ボルトの位置決めが、簡単な作業で一度に完了して、作業効率の飛躍的な向上が図られる。
【０００９】
また、従来から採用されていたロアカバーと電気接続箱本体とを正規位置に相互に係止固定するロック機構を利用して係合案内手段を構成したことにも大きな特徴がある。これにより、特別な部材の追加や構造・形状の大幅な設計変更や複雑化を伴うことなく、取付ボルトをボルト挿通穴に導き入れる係合案内手段を効率的に形成して実現することが出来る。また、複数の取付ボルトの近傍に係合案内手段（ロック機構）を設けたことで端子締結時の応力緩和が図られる。
【００１０】
従って、作業者は、嵌め合わせ作業の確認が容易な位置に設けられた係合案内手段を利用して、取付ボルトとボルト挿通穴の位置合わせを意識せずに、電気接続箱本体とロアカバーの嵌合を実行することが出来る。
【００１１】
本発明の第二の態様は、第一の態様に記載のものにおいて、前記ロアカバーと前記電気接続箱本体が何れも直方形の箱体とされており、前記ロアカバーの一方の長辺部側で長辺の長さ方向に並んで前記複数の取付ボルトが設けられていると共に、前記電気接続箱本体の一方の長辺部側における前記複数の取付ボルトと各対応する位置に前記複数の端子部が設けられている一方、前記ロアカバーの前記一方の長辺部及び前記電気接続箱本体の前記一方の長辺部における互いに対応する位置には、前記複数の取付ボルトの間及び前記複数の端子部の間において、前記ロアカバーへの前記電気接続箱本体の組み付け方向で互いに嵌まり合って案内する前記係合案内手段が設けられているようにしたものである。
【００１２】
第二の態様によれば、並設されて隣り合う取付ボルトの間に係合案内手段が設けられていることにより、係合案内手段による嵌合の確認と取付ボルトとボルト挿通穴の位置合わせの精度が向上する。また、係合案内手段とボルト位置を適当に設定することにより、それら両者を同時に目視可能として、更なる作業性の向上を図ることも可能である。
【００１３】
本発明の第三の態様は、前記第二の態様に記載のものにおいて、前記ロアカバーにおける前記一方の長辺部において前記複数の取付ボルトから外れた位置と、前記電気接続箱本体における前記一方の長辺部において前記複数のボルト挿通穴から外れた位置との、互いに対応する部分に前記係合案内手段が更に設けられているようにしたものである。
【００１４】
第三の態様によれば、複数の取付ボルトと端子部が締結される長辺部において、係合案内手段が追加して設けられているので、更なる位置決め安定性や締結力に対する剛性が確保される。
【００１５】
本発明の第四の態様は、前記第二又は第三の態様に記載のものにおいて、前記ロアカバーと前記電気接続箱本体において、前記複数の取付ボルトと前記複数の端子部が設けられた長辺部と反対側の長辺部において、前記係合案内手段が更に設けられているようにしたものである。
【００１６】
第四の態様によれば、複数の取付ボルトと端子部が締結される長辺部とは反対側の長辺部において更に別の係合案内手段が設けられているので、更なる位置決め安定性やボルト締結時の電気接続箱全体の剛性や安定性が図られ得る。
【発明の効果】
【００１７】
本発明では、係合案内手段の係合を確認すれば、複数の取付ボルトと複数の端子部における各ボルト挿通穴の位置合わせを確認する必要がなくなる。これにより、複数の取付ボルトが突設されたロアカバーに対して、複数のボルト挿通穴が形成されているバスバーを備えた電気接続箱本体を容易に位置合わせして速やかに組み付けることが出来る。
【図面の簡単な説明】
【００１８】
【図１】本発明の一実施形態としての電気接続箱であって、アッパーカバーが取り外された状態の電気接続箱を示す平面図。
【図２】図１に示した電気接続箱を構成するロアカバーの平面図。
【図３】図１に示した電気接続箱を構成する電気接続箱本体の平面図。
【図４】図３に示した電気接続箱本体の正面図。
【図５】係合突起が係合溝に入り込み始めた状態の縦断面図であって、図２におけるＶ−Ｖ方向の縦断面図。
【図６】係合突起が係合溝に入り込み始めた状態の内側面図。
【図７】係合ロック部同士の係合状態を示す横断面図。
【発明を実施するための形態】
【００１９】
以下、本発明の実施形態について、図面を参照しつつ説明する。
【００２０】
図１には、本発明の一実施形態としての電気接続箱１０が示されている。電気接続箱１０は、ロアカバー１２に対して電気接続箱本体１４が収容されて組み付けられると共に、ロアカバー１２の上側開口が図示しないアッパーカバーで覆蓋された構造とされている。なお、図１では、ロアカバー１２の開口を覆蓋するアッパーカバーが取り外された状態の電気接続箱１０の平面図が示されている。
【００２１】
より詳細には、ロアカバー１２は、図２に示されているように、全体として、上方に開口する直方形の箱体形状を呈している。ロアカバー１２の底壁１６には、厚さ方向に貫通するワイヤハーネスの取出孔１８が設けられている。この取出孔１８は、ロアカバー１２の周壁２０がその開口側端部から取出孔１８にまで亘って切り欠かれることで形成された挿入窓２２を介して外部に開口している。そして、ヒンジ部２４を介して開閉可能に取り付けられたヒンジ蓋部２６で覆蓋可能とされている。
【００２２】
また、周壁２０には、一方の長辺部３０ａ（図１中下側）の外周面側において、三つの取付ボルト３４ａ，３４ｂ，３４ｃが設けられている。これら三つの取付ボルト３４ａ，３４ｂ，３４ｃは、一方の長辺部３０ａの長さ方向中間部分に形成された段差部３２よりも長さ方向一端側（図２の右側）において、一方の長辺部３０ａの長さ方向に並んで装着されている。また、これら三つの取付ボルト３４ａ，３４ｂ，３４ｃは、それぞれ、ロアカバー１２の開口方向へ突出している。
【００２３】
また、周壁２０の内周面側には、三つの係合ロック部３６ａ，３６ｂ，３６ｃが設けられている。これら係合ロック部３６ａ，３６ｂ，３６ｃは、それぞれ、略Ｔ字断面形状で周壁２０の高さ方向に延びており、基部３８から幅方向外方へ突出する係合突起４０を備えている。
【００２４】
また、基部３８には、周壁２０の高さ方向に延びる係合凹所４２が形成されている。この係合凹所４２は、基部３８の一端部分（周壁２０の高さ方向の上端部分）に開口している。
【００２５】
このような係合ロック部３６ａ，３６ｂ，３６ｃは、周壁２０の内周面で周方向に相互に離隔位置して設けられている。即ち、係合ロック部３６ａは、一方の長辺部３０ａの長さ方向で、取付ボルト３４ａと取付ボルト３４ｂの間に位置するように設けられている。係合ロック部３６ｂは、一方の長辺部３０ａに形成された段差部３２よりも長さ方向他端側に設けられている。即ち、一方の長辺部３０ａにおいて、取付ボルト３４ａ〜ｃから外れた位置に設けられている。係合ロック部３６ｃは、他方の長辺部３０ｂにおいて、係合ロック部３６ａと同じ長さ方向位置に設けられている。即ち、取付ボルト３４ａ〜ｃが設けられた一方の長辺部３０ａと対向する他方の長辺部３０ｂにおいて、係合ロック部３６ａと対応する位置に設けられている。
【００２６】
一方、電気接続箱本体１４は、図３及び図４にも示されているように、図示しないヒューズが装着されるヒューズ装着部４４を備えており、全体として矩形ブロック形状を呈している。電気接続箱本体１４には、ヒューズと接続された内部回路を構成するバスバー４６が装着されている。
【００２７】
バスバー４６には、導電プレートが接続されており、この導電プレートが適当に屈曲されることにより、電気接続箱本体１４への装着状態で電気接続箱本体１４の外側へ突出して外部に露呈される端子部４８ａ，４８ｂが形成されている。これら端子部４８ａ，４８ｂは、電気接続箱本体１４の一方の長辺部５０ａに形成された段差部５２よりも長さ方向一端側（図３の右側）に位置している。端子部４８ａには、二つのボルト挿通穴５４ａ，５４ｂが形成されており、端子部４８ｂには、一つのボルト挿通穴５４ｃが形成されている。これら三つのボルト挿通穴５４ａ，５４ｂ，５４ｃは、三つの取付ボルト３４ａ，３４ｂ，３４ｃと対応する位置に形成されている。
【００２８】
電気接続箱本体１４には、三つの係合ロック部５６ａ，５６ｂ，５６ｃが設けられている。係合ロック部５６ａ，５６ｂ，５６ｃは、全体として矩形ブロック形状を呈しており、その幅方向中央部分において、電気接続箱本体１４の高さ方向の全長に亘って延びて電気接続箱本体１４の外周面に開口する切欠凹部５８が形成されている。また、係合ロック部５６ａ，５６ｂ，５６ｃにおいて、切欠凹部５８の電気接続箱本体１４の高さ方向における上側部分には、電気接続箱本体１４の高さ方向で上側に向かって延び出す板状弾性係止片６０が設けられている。なお、板状弾性係止片６０の背後には、板状弾性係止片６０の弾性変形を許容する凹部６２が設けられている。
【００２９】
また、係合ロック部５６ａ，５６ｂ，５６ｃには、切欠凹部５８の両側壁を構成する部分において、係合溝６４が形成されている。これらの係合溝６４は、切欠凹部５８内に開口するだけでなく、電気接続箱本体１４の下側にも開口している。
【００３０】
このような係合ロック部５６ａ，５６ｂ，５６ｃは、電気接続箱本体１４の外周面で周方向に相互に離隔位置して設けられている。係合ロック部５６ａは、一方の長辺部５０ａの長さ方向で、二つの端子部４８ａ，４８ｂの間に位置するように、且つ、ロアカバー１２の係合ロック部３６ａと対応する位置に設けられている。係合ロック部５６ｂは、一方の長辺部５０ａにおいて、段差部５２よりも長さ方向他端側であって、且つ、ロアカバー１２の係合ロック部３６ｂと対応する位置に設けられている。係合ロック部５６ｃは、電気接続箱本体１４の他方の長辺部５０ｂにおいて、係合ロック部５６ａと同じ長さ方向位置であって、且つ、ロアカバー１２の係合ロック部３６ｃと対応する位置に設けられている。
【００３１】
また、電気接続箱本体１４の外周面には、ロアカバー１２の挿入窓２２と対応する位置において、外方へ突出する蓋壁部６６が一体的に設けられている。蓋壁部６６は、略一定の矩形断面形状で電気接続箱本体１４の高さ方向の全長に亘ってストレートに延びるように形成されており、全体として矩形平板形状を呈している。
【００３２】
蓋壁部６６の幅方向両側の端縁部には、それぞれ、嵌合溝６８が形成されている。嵌合溝６８は、蓋壁部６６の幅方向端面に開口して略一定の矩形断面で蓋壁部６６の延出方向（電気接続箱本体１４の高さ方向）の全長に亘ってストレートに延びている。
【００３３】
上述の如きロアカバー１２と電気接続箱本体１４は、以下のようにして、組み付けられる。先ず、ロアカバー１２の開口部の上方に電気接続箱本体１４を位置させた後、電気接続箱本体１４をロアカバー１２へ接近させる。
【００３４】
図５及び図６に示されているように、ロアカバー１２の係合ロック部３６ａ，３６ｂ，３６ｃに設けられた係合突起４０と電気接続箱本体１４の係合ロック部５６ａ，５６，５６ｃに設けられた係合溝６４の嵌合は、三つの取付ボルト３４ａ，３４ｂ，３４ｃの各ボルト挿通穴５４ａ，５４ｂ，５４ｃへの挿通に先立って行われる。即ち、電気接続箱本体１４側の係合ロック部５６ａ〜ｃとロアカバー１２側の係合ロック部３６ａ〜ｃの間の隙間：Ａが０となる際に、端子部４８ａ，ｂと取付ボルト３４ａ〜ｃの間に隙間：Ｂが生じている。この状態で、各係合突起４０と係合溝６４の案内作用により、三つの取付ボルト３４ａ，３４ｂ，３４ｃは、各ボルト挿通穴５４ａ，５４ｂ，５４ｃの上方であって、且つ、各ボルト挿通穴５４ａ，５４ｂ，５４ｃと同一中心軸線上に位置しており、各ボルト挿通穴５４ａ，５４ｂ，５４ｃに対して位置決めされている。なお、各係合ロック部３６ａ，３６ｂ，３６ｃに設けられた係合突起４０が係合ロック部５６ａ，５６ｂ，５６ｃに設けられた係合溝６４に入り込むのは、略同時とされている。
【００３５】
係合突起４０が係合溝６４に嵌り込んで係合溝６４内を移動すると、板状弾性係止片６０に形成されている係止突起７０が係合凹所４２の側壁によって形成された係止壁７２に接触して、板状弾性係止片６０が弾性変形する。そして、係止突起７０が係止壁７２を乗り越えると、図７に示されているように、係止突起７０が係合凹所４２内に位置する。これにより、係止突起７０が係止壁７２に対して、周壁２０の下側から係合する。その結果、ロアカバー１２と電気接続箱本体１４が抜出不能に係止固定される。即ち、ロアカバー１２に設けられた係合ロック部３６ａ，３６ｂ，３６ｃと電気接続箱本体１４に設けられた係合ロック部５６ａ，５６ｂ，５６ｃによって、係合案内手段が構成されている。
【００３６】
ロアカバー１２と電気接続箱本体１４が抜出不能に係止固定された状態では、三つの取付ボルト３４ａ，３４ｂ，３４ｃは、各ボルト挿通穴５４ａ，５４ｂ，５４ｃに挿通されており、電気接続箱本体１４がロアカバー１２に対して正規位置に組み付けられている。
【００３７】
また、上述の如く電気接続箱本体１４をロアカバー１２に対して組み付ける際、蓋壁部６６が、挿入窓２２に対して、ロアカバー１２の開口側端部から入り込む。この状態で、挿入窓２２の幅方向両側の端縁部は、蓋壁部６６に設けられた嵌合溝６８に嵌り込んでいる。その結果、挿入窓２２の開口側部分が蓋壁部６６で覆蓋される。また、挿入窓２２の取出孔１８側部分は、ヒンジ蓋部２６を閉じることで覆蓋される。
【００３８】
その後、図示しないアッパーカバーでロアカバー１２の開口を覆蓋する。これにより、電気接続箱１０が形成される。
【００３９】
上述の如き電気接続箱１０においては、ロアカバー１２の係合ロック部３６ａ，３６ｂ，３６ｃに設けられた係合突起４０が電気接続箱本体１４の係合ロック部５６ａ，５６ｂ，５６ｃに設けられた係合溝６４に入り込む際に、三つの取付ボルト３４ａ，３４ｂ，３４ｃを各ボルト挿通穴５４ａ，５４ｂ，５４ｃに位置決めすることが出来る。その結果、作業者は、三つの取付ボルト３４ａ，３４ｂ，３４ｃの各ボルト挿通穴５４ａ，５４ｂ，５４ｃに対する位置決めを、係合突起４０及び係合溝６４を嵌合させるという作業のみで一度に完了させることが可能となる。従って、ロアカバー１２に対する電気接続箱本体１４の組付作業の効率を飛躍的に向上させることが出来る。
【００４０】
係合ロック部３６ａが三つの取付ボルト３４ａ，３４ｂ，３４ｃの近傍に位置している。これにより、係合突起４０と係合溝６４の嵌合状態の確認及び取付ボルト３４ａ，３４ｂ，３４ｃとボルト挿通穴５４ａ，５４ｂ，５４ｃの位置合わせの精度を向上させることが出来る。また、取付ボルト３４ａ，３４ｂ，３４ｃに外部端子を外挿装着した状態で取付ボルト３４ａ，３４ｂ，３４ｃに螺合されるナットを締結する際の締結力に対する剛性も確保することが可能となる。
【００４１】
係止突起７０と係止壁７２による係合作用が、ロアカバー１２と電気接続箱本体１４の間において、３箇所で発揮されるようになっている。これにより、三つの取付ボルト３４ａ，３４ｂ，３４ｃの各ボルト挿通穴５４ａ，５４ｂ，５４ｃに対する位置決めを一層安定させることが出来る。
【００４２】
特に本実施形態では、電気接続箱本体１４側の係合ロック部５６ａ〜ｃの係合溝６４とロアカバー１２側の係合ロック部３６ａ〜ｃの係合突起４０を利用して、係合案内手段における案内作用が発揮されると共に、電気接続箱本体１４側の係合ロック部５６ａ〜ｃの係止突起７０とロアカバー１２側の係合ロック部３６ａ〜ｃの係止壁７２を利用して、係合案内手段における係止固定作用が発揮される。それ故、取付ボルト３４ａ〜ｃが設けられた一方の長辺部３０ａにおいて、取付ボルト３４ｂと取付ボルト３４ｃの間及び取付ボルト３４ａ〜ｃから外れた位置に係合ロック部３６ｂと係合ロック部５６ｂを設けることで、ナット締結時に大きな力が及ぼされる一方の長辺部３０ａの強化が図られていると共に、取付ボルト３４ａ〜ｃとボルト挿通穴５４ａ〜ｃの位置決め安定性の向上が効率的に図られている。また、取付ボルト３４ａ〜ｃが設けられた一方の長辺部３０ａと対向する他方の長辺部３０ｂにおいて、係合ロック部３６ｃと対応する位置に係合ロック部５６ｃが設けられている。これにより、ナット締結に対する電気接続箱１０全体の剛性強化が図られると共に、取付ボルト３４ａ〜ｃとボルト挿通穴５４ａ〜ｃの更なる位置決め安定性が図られ得る。
【００４３】
また、係合ロック部３６ａ，３６ｂ，３６ｃにおいて、係合突起４０が基部３８の幅方向両側に突出しており、両方の係合突起４０が係合ロック部５６ａ，５６ｂ，５６ｃに設けられた係合溝６４に嵌り込んでいるので、ナット締結時の反力を吸収し易くなっている。その結果、電気接続箱１０の耐久性が確保されている。
【００４４】
以上、本発明の実施形態について詳述したが、本発明はその具体的な記載によって限定されない。例えば、取付ボルトは二つであっても良いし、四つ以上であっても良い。
【符号の説明】
【００４５】
１０：電気接続箱，１２：ロアカバー，１４：電気接続箱本体，３０ａ：一方の長辺部，３０ｂ：他方の長辺部，３４ａ：取付ボルト，３４ｂ：取付ボルト，３４ｃ：取付ボルト，３６ａ：係合ロック部（係合案内手段），３６ｂ：係合ロック部（係合案内手段），３６ｃ：係合ロック部（係合案内手段），４６：バスバー，４８ａ：端子部，４８ｂ：端子部，５０ａ：一方の長辺部，５０ｂ：他方の長辺部，５４ａ：ボルト挿通穴，５４ｂ：ボルト挿通穴，５４ｃ：ボルト挿通穴，５６ａ：係合ロック部（係合案内手段），５６ｂ：係合ロック部（係合案内手段），５６ｃ：係合ロック部（係合案内手段）
【図１】
2011097709.tif 000003
【図２】
2011097709.tif 000004
【図３】
2011097709.tif 000005
【図４】
2011097709.tif 000006
【図５】
2011097709.tif 000007
【図６】
2011097709.tif 000008
【図７】
2011097709.tif 000009